(57)【要約】【課題】  画像読取装置本体だけでイメージセンサのキャリブレーションを行うことができる画像読取装置、その制御方法、制御プログラムおよび記録媒体を提供することを目的とするものである。【解決手段】  読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置において、上記画像読取装置のメニューを表示するメニュー表示画面と、上記画像読取装置のメニューに組み込まれている上記イメージセンサのキャリブレーション手段であって、上記画像読取装置本体だけで、キャリブレーションを実行するキャリブレーション手段とを有する画像読取装置である。【選択図】  図１
2005217494.tif 000002
【特許請求の範囲】
【請求項１】
読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置において、
上記画像読取装置のメニューを表示するメニュー表示画面と；
上記画像読取装置のメニューに組み込まれている上記イメージセンサのキャリブレーション手段であって、上記画像読取装置本体だけで、キャリブレーションを実行するキャリブレーション手段と；
を有することを特徴とする画像読取装置。
【請求項２】
請求項１において、
上記画像読取装置本体のみで上記イメージセンサのキャリブレーションを実行するために設けられているインタフェースを有することを特徴とする画像読取装置。
【請求項３】
請求項１または請求項２において、
上記イメージセンサのキャリブレーション状況を、上記画像読取装置のディスプレイに表示することを特徴とする画像読取装置。
【請求項４】
読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置の制御方法において、
上記画像読取装置のメニューであって、上記イメージセンサのキャリブレーションが組み込まれているメニューを表示するメニュー表示段階と；
上記画像読取装置のメニューに組み込まれている上記イメージセンサのキャリブレーションを、上記画像読取装置本体だけで実行するキャリブレーション実行段階と；
を有することを特徴とする画像読取装置の制御方法。
【請求項５】
読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置を制御するプログラムであって、
上記画像読取装置のメニューであって、上記イメージセンサのキャリブレーションが組み込まれているメニューを表示するメニュー表示手順と；
上記画像読取装置のメニューに組み込まれている上記イメージセンサのキャリブレーションを、上記画像読取装置本体だけで実行するキャリブレーション実行手順と；
をコンピュータに実行させるプログラム。
【請求項６】
読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置を制御するプログラムであって、
上記画像読取装置のメニューであって、上記イメージセンサのキャリブレーションが組み込まれているメニューを表示するメニュー表示手順と；
上記画像読取装置のメニューに組み込まれている上記イメージセンサのキャリブレーションを、上記画像読取装置本体だけで実行するキャリブレーション実行手順と；
をコンピュータに実行させるプログラムを記録したコンピュータ読み取り可能な記録媒体。
【発明の詳細な説明】
【技術分野】
【０００１】
本発明は、イメージスキャナ装置、ファクシミリ装置等における画像読取装置、画像読取装置の制御方法、制御プログラムおよび記録媒体に関する。
【背景技術】
【０００２】
従来、スキャナのドライバソフト等がキャリブレーションコマンドを発行し、画像読取装置本体に通知し、画像読取装置本体がイメージセンサをキャリブレーションする装置が知られている（たとえば、特許文献１参照）。
【特許文献１】特開２００１−０２２５５１号公報
【発明の開示】
【発明が解決しようとする課題】
【０００３】
しかし、上記従来例では、画像読取装置本体だけで動作する機能、たとえばコピー機能を使用する場合に、コピー機能自体は、スタンドアローンで動作するが、スキャナをキャリブレーションする機能は、スタンドアローンでは動作しない。つまり、ユーザが、スキャナのドライバソフト等を立ち上げた後に、スキャナをキャリブレーションしなければならず、非常に不便であるという問題がある。
【０００４】
つまり、上記従来例では、画像読取装置本体だけでイメージセンサのキャリブレーションを行うことができないという問題がある。
【０００５】
本発明は、画像読取装置本体だけでイメージセンサのキャリブレーションを行うことができる画像読取装置、その制御方法、制御プログラムおよび記録媒体を提供することを目的とするものである。
【課題を解決するための手段】
【０００６】
本発明は、イメージセンサのキャリブレーションを、画像読取装置のメニューに組み込むことによって、画像読取装置本体だけで、キャリブレーションを実行する画像読取装置である。
【発明の効果】
【０００７】
本発明によれば、画像読取装置本体のみでイメージセンサのキャリブレーションを実行することができるので、キャリブレーションを行ってからコピー等を行う場合でも、ユーザの負担を軽減することができ、また、操作の単純化を図ることができるという効果を奏する。
【発明を実施するための最良の形態】
【０００８】
発明を実施するための最良の形態は、次の実施例である。
【実施例１】
【０００９】
図１は、本発明の実施例１であるＭＦＰ１００を示すブロック図である。
【００１０】
ＭＦＰ１００は、多機能周辺機器（Ｍｕｌｔｉ  Ｆｕｎｃｔｉｏｎ  Ｐｅｒｉｐｈｅｒａｌ）であり、スキャニング機能と、プリンティング機能と、コピー機能とを併せ持つ画像読取装置の一例である。
【００１１】
また、ＭＦＰ１００は、ＣＰＵ１と、ＲＯＭ２と、プリンタ３と、ＳＲＡＭ４と、ＤＲＡＭ５と、イメージプロセッサ６と、イメージセンサ７と、操作パネル８と、ディスプレイ９と、ＰＣ  Ｉ／Ｆ１０と、ＰＣ１１とを有する。
【００１２】
ＣＰＵ１は、ＭＦＰ１００のシステム制御部であり、ＭＦＰ１００の全体を制御する。
【００１３】
ＲＯＭ２は、ＭＦＰ１００のシステム制御プログラムを格納するメモリである。
【００１４】
なお、ＣＰＵ１は、ＲＯＭ２に格納されている制御プログラムに基づいて、ＭＦＰ１００に関する各種の動作を実行する。このようなＣＰＵ１の制御プログラムは、ＲＯＭ２に格納されている場合に限らず、フロッピー（登録商標）ディスクやＣＤ−ＲＯＭ等による外部の記憶媒体に記憶されていてもよく、この制御プログラムを、専用の読取装置が読み取り、ＭＦＰ１００のＲＡＭ（たとえばＳＲＡＭ４）に取り込み、これをＣＰＵ１が解読し、実行するようにしてもよい。
【００１５】
プリンタ３は、入力された画像データを記録紙に印字するものである。
【００１６】
ＳＲＡＭ４は、主に、ＭＦＰ１００の登録データ等を格納するものであり、ＤＲＡＭ５は、主に、画像データを格納する。
【００１７】
イメージプロセッサ６は、イメージセンサ７が入力した画像データに各種画像処理を施すものである。イメージセンサ７は、原稿上の画像の読取りを行うための接触型読取りセンサ等である。
【００１８】
操作パネル８は、装置の状態等を表示するディスプレイ９を有し、オペレータからの動作指示入力や、各種データ登録や、ディスプレイ９を通じて装置の状態を確認するものである。
【００１９】
ＰＣ  Ｉ／Ｆ１０は、ＭＦＰ１００とＰＣ１１とを接続するインタフェースであり、ＰＣ１１は、ＰＣ  Ｉ／Ｆ１０を介して、ＭＦＰ１００の各種設定データ変更や各種動作の起動要求を行うホストコンピュータである。
【００２０】
つまり、ＭＦＰ１００は、読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置の例である。
【００２１】
図２は、ＭＦＰ１００に設けられている操作パネル８の構成を示す図である。
【００２２】
操作パネル８は、電源キー２１と、ディスプレイ２２と、モード切替キー２３と、メニューキー２４と、ファンクションキー２５と、ナビシートキー２６と、選択キー２７、２８と、セットキー２９と、ディレクトリキー３０と、リダイアル／ポーズキー３１と、テンキー３２と、ストップキー３３と、モノクロスタートキー３４と、カラースタートキー３５とを有する。
【００２３】
電源キー２１は、ＭＦＰ１００の電源をＯＮ／ＯＦＦするキーである。ディスプレイ２２は、ＭＦＰ１００の状態や設定項目を表示するものである。モード切替キー２３は、ＭＦＰ１００のスタンバイ状態を、コピーモード、ファックスモード、スキャナモード、フォトモードのうちの１つのモードに切り替えるキーである。
【００２４】
メニューキー２４は、ＭＦＰ１００の各種設定を行うキーであり、選択キー２７、２８によって、所望の設定を選択することができる。
【００２５】
ファンクションキー２５は、プリンタの設定等、各種設定を行うためのキーである。ナビシートキー２６は、フォトナビシートの出力と、スキャンとを行うキーである。
【００２６】
セットキー２９は、ＭＦＰ１００の各種設定項目の設定を決定するキーである。
【００２７】
リダイアル／ポーズキー３１は、ファックスのリダイアルを行うキーである。テンキー３２は、コピー枚数等の数値入力を行うためのキーである。
【００２８】
ストップキー３３は、ＭＦＰ１００の動作を停止させるためのキーである。モノクロスタートキー３４は、ＭＦＰ１００でモノクロ読取りを開始させるキーである。カラースタートキー３５は、ＭＦＰ１００でカラー読取りを開始させるキーである。
【００２９】
次に、ＭＦＰ１００におけるキャリブレーションの動作について説明する。
【００３０】
図３は、ＭＦＰ１００のディスプレイ２２上に表示されているキャリブレーション操作メニュー画面の遷移を示す図である。
【００３１】
ＭＦＰ１００は、受光素子としてＣＣＤセンサを用いている。
【００３２】
スタンバイ表示画面（図３（１））から、ファンクションキー２５を押下し、選択キー２７、２８によって、メンテナンスを選択する（図３（２））。セットキー２９を押下することによって、メンテナンスメニューを表示し（図３（３））、選択キー２７、２８によって、キャリブレーションを選択する。セットキー２９を押下すると、イメージセンサのキャリブレーションを開始する（図３（４））。
【００３３】
キャリブレーション中は、「キャリブレーションチュウ」が、ディスプレイ２２上に表示される（図３（４））。キャリブレーションを終了すると、自動的にスタンバイ画面に戻る（図３（５））。
【００３４】
ＭＦＰ１００においてキャリブレーションする場合、読取り用黒シェーディングデータを取得し、ＣＣＤセンサのゲイン・オフセットを測定し、計算した上で、キャリブレーションを決定する。さらに、スキャナドライバソフト等からも、キャリブレーション指示を行うことができ、この場合、キャリブレーションの動作と、ディスプレイ２２への表示動作とは、上記と同様の動作である。
【００３５】
実施例１において、イメージセンサのキャリブレーションは、図３に示すようなメニュー構成で行われるが、装置の機械構造や特性に応じて、図３に示すメニュー構成とは異なるメニュー構成を採用するようにしてもよい。
【００３６】
つまり、上記実施例における構成要素の相対配置、表示画面等を任意に変更するようにしてもよい。
【００３７】
すなわち、上記実施例は、読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置において、上記画像読取装置のメニューを表示するメニュー表示画面と、上記画像読取装置のメニューに組み込まれている上記イメージセンサのキャリブレーション手段であって、上記画像読取装置本体だけで、キャリブレーションを実行するキャリブレーション手段とを有する画像読取装置の例である。
【００３８】
この場合、上記画像読取装置本体のみで上記イメージセンサのキャリブレーションを実行するために設けられているインタフェースを有する。
【００３９】
また、上記イメージセンサのキャリブレーション状況を、上記画像読取装置のディスプレイに表示する。
【００４０】
そして、上記実施例は、読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置の制御方法において、上記画像読取装置のメニューであって、上記イメージセンサのキャリブレーションが組み込まれているメニューを表示するメニュー表示段階と、上記画像読取装置のメニューに組み込まれている上記イメージセンサのキャリブレーションを、上記画像読取装置本体だけで実行するキャリブレーション実行段階とを有する画像読取装置の制御方法の例である。
【００４１】
さらに、上記実施例は、読取り対象である原稿を照射する光源と、上記光源からの照射光が原稿で反射した反射光を、光学系を通して受光し、画素毎に走査し、電気信号に変換するイメージセンサと、上記光源と上記イメージセンサとを制御する制御部とを具備する画像読取装置を制御するプログラムであって、上記画像読取装置のメニューであって、上記イメージセンサのキャリブレーションが組み込まれているメニューを表示するメニュー表示手順と、上記画像読取装置のメニューに組み込まれている上記イメージセンサのキャリブレーションを、上記画像読取装置本体だけで実行するキャリブレーション実行手順とをコンピュータに実行させるプログラムの例である。
【００４２】
なお、上記プログラムを、ＣＤ、ＤＶＤ、ＨＤ、半導体メモリ等の記録媒体に記録するようにしてもよい。
【図面の簡単な説明】
【００４３】
【図１】本発明の実施例１であるＭＦＰ１００を示すブロック図である。
【図２】ＭＦＰ１００に設けられている操作パネル８の構成を示す図である。
【図３】ＭＦＰ１００のディスプレイ２２上に表示されているキャリブレーション操作メニュー画面の遷移を示す図である。
【符号の説明】
【００４４】
１００…ＭＦＰ、
１…ＣＰＵ、
２…ＲＯＭ、
３…プリンタ、
４…ＳＲＡＭ、
５…ＤＲＡＭ、
６…イメージプロセッサ、
７…イメージセンサ、
８…操作パネル、
９…ディスプレイ、
１０…ＰＣ  Ｉ／Ｆ、
１１…ＰＣ。
【図１】
2005217494.tif 000003
【図２】
2005217494.tif 000004
【図３】
2005217494.tif 000005